【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
少なくとも1つのハウジング、ならびに互いに並行に、および／または該ハウジングの周囲の充填空間内に配置された、同一または異なる直径を有する多数の中空糸膜を含み、充填空間（18）内に配置された中空糸膜（33）全体の体積と充填空間（18）の体積との比が20％未満であることを特徴とする、濾過法、透析濾過法、および透析法のための中空糸膜モジュール。
【請求項２】
ハウジング（3）がシリンダー形状を有する、請求項1記載の中空糸膜モジュール。
【請求項３】
ハウジング（3）の側面に開口部（25）を備える、請求項1または2記載の中空糸膜モジュール。
【請求項４】
開口部（25）の平面上への投射が、正方形、長方形、円形またはその他の対称性もしくは非対称性の形状である、請求項3記載の中空糸膜モジュール。
【請求項５】
開口部（25）の寸法が3〜20mmである、請求項4記載の中空糸膜モジュール。
【請求項６】
開口部（25）の全表面積とハウジング側面の全表面積との比が約0.2〜約0.9である、請求項3記載の中空糸膜モジュール。
【請求項７】
中空糸膜（33）が、セラミックおよび／もしくは高分子材料からなる、またはそれを実質的な割合で含む、請求項1〜6のいずれか一項に記載の中空糸膜モジュール。
【請求項８】
中空糸膜（33）が、約5μm〜約300μmの厚みを有する支持構造を含む、請求項7記載の中空糸膜モジュール。
【請求項９】
中空糸膜（33）の内径が最大2mmである、請求項7または8記載の中空糸膜モジュール。
【請求項１０】
中空糸膜（33）の内径が0.15〜0.8mmである、請求項9に記載の中空糸膜モジュール。
【請求項１１】
中空糸膜（33）が、少なくとも1つの束（17）の形態としてモジュール内に配置される、請求項1〜10のいずれか一項に記載の中空糸膜モジュール。
【請求項１２】
中空糸が繊維という幅広い繊維間隔で、マットの形態にある束として巻き上げられ、該繊維が、従来のスペーサー材料の包埋によって注封領域内の充填密度に適合した間隔で配置される、請求項1〜11のいずれか一項に記載の中空糸膜モジュール。
【請求項１３】
中空糸が1センチメートル当たり10本未満の繊維という幅広い繊維間隔で、マットの形態にある束として巻き上げられる請求項12に記載の中空糸膜モジュール。
【請求項１４】
少なくとも2つの中空糸膜束が、ハウジング（3）の側面に装着された少なくとも1つの区分要素（5）によって互いに隔てられる、請求項1〜13のいずれか一項に記載の中空糸膜モジュール。
【請求項１５】
少なくとも1つの区分要素（5）が、フレーム部（7）によって囲まれた自由通過面（9）を備えたフレーム部（7）を含む、請求項14記載の中空糸膜モジュール。
【請求項１６】
フレーム部（7）の自由通過面（9）が安定化要素（11）によって細分される、請求項15記載の中空糸膜モジュール。
【請求項１７】
安定化要素（11）の全表面積が、フレーム部（7）によって囲まれる自由通過面（9）を基準として約2％〜約20％である、請求項15または16記載の中空糸膜モジュール。
【請求項１８】
少なくとも1つの区分要素（5）がハウジング（3）の内面に装着され、該ハウジングの内部（18）が複数の区画（21）に細分される、請求項15〜17のいずれか一項に記載の中空糸膜モジュール。
【請求項１９】
少なくとも1つの区分要素（5）がハウジング（3）の外面に装着され、側面の外面上に位置する空間（18）が複数の区画（21）に細分される、請求項14〜18のいずれか一項に記載の中空糸膜モジュール。
【請求項２０】
側面の外面に装着された少なくとも1つの区分要素（5）を有するハウジング（3）が第2のかご様ハウジングに収容される、請求項19記載の中空糸膜モジュール。
【請求項２１】
区分要素の長さがハウジングの長さに対応する、請求項14〜20のいずれか一項に記載の中空糸膜モジュール。
【請求項２２】
区分要素がハウジングよりも短く、該ハウジングの全長にわたって適切な軸方向インタースペース（axial interspace）を保って分布し、これらの軸方向インタースペースの内部にハウジング内部の全方位角にわたってこれ以外には区分要素が配置されない、請求項14〜20のいずれか一項に記載の中空糸膜モジュール。
【請求項２３】
区分要素が、ハウジングの末端に設けられる注封物と同じ長さであり、これらの注封物が区分されるようにハウジング末端に配置される、請求項14〜20のいずれか一項に記載の中空糸膜モジュール。
【請求項２４】
中空糸膜（33）が、少なくとも1つの区分要素（5）によって形成される区画（21）内に配置される、請求項12〜19のいずれか一項に記載の中空糸膜モジュール。
【請求項２５】
区画（21）内に配置される中空糸膜（33）が少なくとも1つの区分要素（5）上に固定される、請求項24記載の中空糸膜モジュール。
【請求項２６】
すべての中空糸膜（33）の充填密度が20％未満である、請求項25記載の中空糸膜モジュール。
【請求項２７】
中空糸膜（33）の繊維内部に液体を供給するためのハウジング連結部、および繊維内部から液体を取り出すためのハウジング連結部を有する、請求項1〜26のいずれか一項に記載の中空糸膜モジュール。
【請求項２８】
すべての構成要素を121℃の水蒸気によって滅菌することができる、請求項1〜27のいずれか一項に記載の中空糸膜モジュール。
【請求項２９】
造形片をともに巻き上げてハウジングの形状を作成し、中空糸膜を20％未満の充填密度でハウジングの内部および／または周囲に配置する、請求項1〜28のいずれか一項に記載の中空糸膜モジュールを製造するための方法。
【請求項３０】
造形片に開口部が備えられている、請求項29に記載の中空糸膜モジュールを製造するための方法。
【請求項３１】
造形片をともに巻き上げてシリンダー形状を作成する、請求項29または30に記載の中空糸膜モジュールを製造するための方法。
【請求項３２】
造形片の巻き上げの前もしくは後に、区分要素が造形片上に間隔をおいて装着される、または区分要素が巻き上げ可能な造形片の固定された構成要素である、請求項29〜31のいずれか一項に記載の方法。
【請求項３３】
造形片をともに巻き上げた後に、区分要素がその内面に位置するように平坦材料を巻き上げる、請求項29〜32のいずれか一項にに記載の方法。
【請求項３４】
シリンダーをともに巻き上げた後に、区分要素がその外面に位置するように造形片を巻き上げる、請求項29〜32のいずれか一項にに記載の方法。
【請求項３５】
造形片をともに巻き上げる前に、少なくとも1つの中空糸膜束を配列する、請求項29〜34のいずれか一項に記載の方法。
【請求項３６】
1つの中空糸膜束を配列し、造形片上に固定する、請求項35に記載の方法。
【請求項３７】
2つの隣接した区分要素の間の区画内に、1つの中空糸膜束を配列し、造形片上に固定する、請求項35または36に記載の方法。
【請求項３８】
シリンダーをともに巻き上げた後に、少なくとも1つの中空糸膜束を配列し、、請求項29〜37のいずれか一項に記載の方法。
【請求項３９】
1つの中空糸膜束を配列し、ハウジング内に固定する、請求項38に記載の方法。
【請求項４０】
2つの隣接した区分要素の間の区画内に、1つの中空糸膜束を配列し、ハウジング内に固定する、請求項38または39に記載の方法。
【請求項４１】
中空糸膜の末端を注封し、ハウジングをその両端で封止する、請求項35〜40のいずれか一項に記載の方法。
【請求項４２】
ハウジングを第2のハウジングの中に挿入する、請求項29〜41のいずれか一項に記載の方法。
【請求項４３】
第2のハウジングがかご様のハウジングである、請求項42に記載の方法。